(57)【要約】【課題】使用用紙の用紙情報を正確に短時間に確認できるようにすることで、異なる用紙種の印刷業務間の時間短縮が可能な電子写真式印刷装置を提供する。【解決手段】紙上に表示されたＱＲコードを読み取る読取手段とを備えた電子写真式印刷装置において、前記読取手段からの情報に基づき前記用紙の正誤判断および電子写真式印刷装置の画像形成条件を変化させることを特徴とする。【選択図】  図１
2010008731.tif 000002
【特許請求の範囲】
【請求項１】
用紙上に表示されたＱＲコードを読み取る読取手段を備えた電子写真式印刷装置において、前記読取手段からの情報に基づき前記用紙の正誤判断および電子写真式印刷装置の画像形成条件を変化させることを特徴とする電子写真式印刷装置。
【請求項２】
前記読取手段は前記用紙表裏に対して各々配置したことを特徴とする請求項１記載の電子写真式印刷装置。
【請求項３】
前記ＱＲコードは、用紙の四隅の内の対角の２つの隅又は１つの隅に印刷されていることを特徴とする請求項１または２記載の電子写真式印刷装置。
【請求項４】
前記ＱＲコードは、蛍光塗料または蛍光インク等の蛍光物質で前記用紙に印刷されていることを特徴とする請求項１ないし３のいずれか１項に記載の電子写真式印刷装置。
【発明の詳細な説明】
【技術分野】
【０００１】
本発明は、印刷する用紙にあらかじめ印刷された用紙情報を格納しているＱＲ（Ｑｕｉｃｋ  Ｒｅｓｐｏｎｓｅ）コードを電子写真式印刷装置に実装されたＱＲコードリーダで読取ることにより、素早く、印刷内容と印刷する用紙及び用紙の面が正しいかを確認すると共に、用紙に適合した用紙サイズを設定する用紙サイズ設定手段、用紙に適合する用紙連量を設定する用紙連量設定手段、用紙に適合する用紙剥離電圧を設定する用紙剥離電圧設定手段、又は用紙に適合する定着温度に設定する定着温度設定手段を備える機構に関する。
【背景技術】
【０００２】
図７は、電子写真式印刷装置の概略構成図である。画像形成処理の制御のためのパラメータとして用紙の紙質に依存する紙質依存パラメータを複数備え、複数のプリセット用紙種別の各々ごとにその用紙種別に対応する紙質依存パラメータの値の組をプリセット紙種設定値として保持し、指定された用紙種別に対応する紙質依存パラメータの値の組を用いて画像形成処理を制御する画像形成装置において、各紙質依存パラメータの値について個別的に設定を受け付けるための個別設定手段と、この個別設定手段で設定された各紙質依存パラメータの値の組をカスタム紙種設定値として保持するカスタム設定記憶手段と、を備え、このカスタム設定記憶手段に記憶されたカスタム紙種設定値を用いて画像形成処理を制御することを可能とした印刷装置が知られている。
【０００３】
上記装置では、使用する用紙の種類によって、用紙サイズ、用紙連量、用紙型名、用紙ロットＮｏ．、用紙メーカ、用紙製造国等の用紙情報をオペレータが確認し、それに合せ用紙サイズ、用紙連量、用紙剥離電圧、又は、定着設定温度をオペレータが操作パネル１３１等から電子写真式印刷装置に対し設定を行っている。
【０００４】
【特許文献１】特開２００２−７１４６８号公報
【発明の開示】
【発明が解決しようとする課題】
【０００５】
しかしながら、用紙の切り替え毎に、オペレータがその用紙に適合する用紙サイズ、用紙連量、用紙剥離電圧又は、定着設定温度を変更し直す場合が頻繁に行なわれるようになると、その設定時間が印刷業務の効率を悪くしてしまっていた。又、変更操作を誤る可能性もあった。又、印刷面を間違えたりして無駄な印刷をしてしまうこともあり、特にプレ印刷用紙など高価な用紙で間違った印刷をしてしまうと更に無駄なコストが浪費される問題があった。
【０００６】
本発明は、上記問題を解決するためになされるものであり、その目的は、面倒な操作を必要とせず、用紙サイズ、用紙連量、用紙型名、用紙ロットＮｏ．、用紙メーカ、用紙製造国等の用紙情報をＱＲコードに格納し、その用紙情報をＱＲコードリーダで読み取ることで、素早く、印刷内容と印刷する用紙及び用紙の面が正しいかを確認、用紙に適合する用紙サイズ設定、用紙に適合する用紙連量設定、用紙に適合する用紙剥離電圧設定、又は、用紙に適合する定着温度設定ができる電子写真式印刷装置を提供することにある。
【課題を解決するための手段】
【０００７】
上記目的を達成させるために本発明では、用紙上に表示されたＱＲコードを読み取る読取手段とを備えた電子写真式印刷装置において、前記読取手段からの情報に基づき前記用紙の正誤判断および電子写真式印刷装置の画像形成条件を変化させることを特徴とするものである。
【０００８】
また、前記読取手段は前記用紙表裏に対して各々配置したことを特徴とするものである。
【０００９】
更に、前記ＱＲコードは、用紙の四隅の内の対角の２つの隅又は１つの隅に印刷されていることを特徴とするものである。
【００１０】
更に、前記ＱＲコードは、蛍光塗料または蛍光インク等の蛍光物質で前記用紙に印刷されていることを特徴とするものである。
【発明の効果】
【００１１】
本発明によれば、印刷する用紙の種類毎に操作パネル等から、用紙サイズ設定、用紙連量設定、用紙剥離電圧設定、又は、定着設定温度の変更を行なう必要が無く、既に用紙上に印刷されている用紙情報の格納されたＱＲコードをＱＲコードリーダで読み取ることにより、素早く、印刷内容と印刷する用紙及び用紙の面が正しいかを確認、用紙に適合する用紙サイズ設定、用紙に適合する用紙連量設定、用紙に適合する用紙剥離電圧設定、又は、用紙に適合する定着温度の設定ができる電子写真式印刷装置を提供することができる。
【発明を実施するための最良の形態】
【００１２】
以下、本発明の実施例を、図面を用いて説明する。図１は電子写真式印刷装置の概略構成図である。
【００１３】
モータ１０５により回転動作されたピックローラ１０４により用紙１０３は、タイミングローラ１０６に送られ、ＱＲコードリーダＡ１０８又はＱＲコードリーダＢ１０９により用紙情報が格納されているＱＲコード１０２が読み取られ、ＣＰＵ１１０により解析される。用紙１０３はモータ１０７により回転動作されたタイミングローラ１０６により搬送される。高圧電源１２１により高圧電圧を印加されたチャージャコロトロン１２０は、モータ１１５により回転動作している感光体ドラム１１４上を帯電する。
【００１４】
その後、ＣＰＵ１１０がドライバ１１９によりレーザダイオード１１８を制御し感光体ドラム１１４上に潜像を形成し、現像ローラ１１１からのトナー１１３をその潜像に静電付着させる。感光体ドラム１１４上の潜像に静電付着させられたトナー１１３は感光ドラム１１４−転写コロトロン１１６間で高圧電源１１７により高圧電圧が印加され、用紙１０３に転写される。
【００１５】
潜像と同じ形のトナー１１３が付着された用紙１０３は、剥離コロトロン１２２部に搬送され、ＱＲコードリーダＡ１０８又はＱＲコードリーダＢ１０９により用紙情報が格納されているＱＲコード１０２から読み取った情報をＣＰＵ１１０が解析し、高圧電源１２３により用紙１０３に適合した高圧電圧を剥離コロトロン１２２に印加し、用紙１０３を感光ドラム１１４から剥離し、モータ１２５で回転駆動された搬送ベルト部１２４に搬送する。その後、定着ローラ１２７部に搬送され、温度センサ１３０で定着ローラ１２７の温度を検知しドライバ１２９によりヒータランプ１２６を点灯及び消灯させ、用紙１０３に適合する定着温度に制御する電子写真式印刷装置１０１がある。
【００１６】
次に図２〜図４を用いて、用紙１０３上に印刷する用紙情報の格納されたＱＲコード１０２とそれを読み取るＱＲコードリーダＡ１０８、ＱＲコードリーダＢ１０９について説明する。
【００１７】
図２は用紙１０３上に印刷されたＱＲコード１０２の印刷位置を示す図である。用紙１０３の印刷領域外の四隅の内の対角の２つの隅又は１つの隅にＱＲコード１０２が印刷されている。２つの対角の内、１つの対角の２つの隅又は１つの隅に印刷された印刷情報が格納されているＱＲコード１０２が用紙１０３の表面に印刷されている場合、もう１つの対角の２つの隅又は１つの隅に印刷された印刷情報が格納されているＱＲコード１０２は用紙１０３の裏面に印刷される。
【００１８】
図３は用紙１０３の表面に印刷されたＱＲコード１０２をＱＲコードリーダＡ１０８で読み取っている状態を示す図である。また、図４は用紙１０３の裏面に印刷されたＱＲコード１０２をＱＲコードリーダＢ１０９で読み取っている状態を示す図である。図３および図４のように、ＱＲコード１０２の用紙１枚あたりの印刷個数を減らせると共にセットした用紙１０３が表裏反対で搬送されても、用紙情報の格納されたＱＲコード１０２をＱＲコードリーダＡ１０８又はＱＲコードリーダＢ１０９で読み取ることが可能となる。また、ＱＲコード１０２は３６０度、どの方向からも読み取れるという利点が加わって、用紙１０３の走行方向が用紙走行面に平行に９０度、１８０度又は２７０度変わっても用紙１０３上に印刷された用紙情報の格納されたＱＲコード１０２をＱＲコードリーダＡ１０８又はＱＲコードリーダＢ１０９で読み取ることが可能となる。
【００１９】
図５は本発明の他の実施例を示す電子写真式印刷装置の概略構成図、図６は本発明の他の用紙上に印刷されたＱＲコードの印刷位置を示す図である。紫外光は人間の眼に見えない波長の光で蛍光物質と呼ばれるものには、この紫外光を吸収する性質がある。蛍光物質が一度吸収した紫外光は可視光域の波長に変換され再び放射される。この性質を利用して用紙１０３に透明の蛍光塗料または蛍光インク等の蛍光物質で用紙情報が格納されたＱＲコード１３２を印刷し、その情報を電子写真式印刷装置１０１に実装されている紫外光（ＵＶ）対応のＱＲコードリーダＡ１３３又はＱＲコードリーダＢ１３４で読み取れるようにすることで、用紙１０３上の用紙情報が格納されたＱＲコード１３２が見えなく又は目立たないようにでき、非印刷領域を減らすことが可能になる。
【産業上の利用可能性】
【００２０】
レーザビームプリンタなどの電子写真式印刷装置において、多種の用紙を頻繁に代えて印刷する場合、プレプリント印刷紙または、印刷面が限定されている用紙に印刷する場合、剥離し難い用紙に印刷する場合、熱定着性の悪い用紙に印刷する場合に有効である。
【図面の簡単な説明】
【００２１】
【図１】電子写真式印刷装置の概略構成図である。
【図２】用紙上に印刷されたＱＲコードの印刷位置を示す図である。
【図３】用紙の表面に印刷されたＱＲコードをＱＲコードリーダで読み取っている状態を示す図である。
【図４】用紙の裏面に印刷されたＱＲコードをＱＲコードリーダで読み取っている状態を示す図である。
【図５】他の実施例での電子写真式印刷装置の概略構成図である。
【図６】他の実施例での用紙上に印刷されたＱＲコードの印刷位置を示す図である。
【図７】従来の電子写真式印刷装置の概略構成図である。
【符号の説明】
【００２２】
１０１は電子写真式印刷装置、１０２はＱＲコード、１０３は用紙、１０４はピックローラ、１０５はモータ、１０６はタイミングローラ、１０７はモータ、１０８はＱＲコードリーダＡ、１０９はＱＲコードリーダＢ、１１０はＣＰＵ、１１１は現像ローラ、１１２はモータ、１１３はトナー、１１４は感光ドラム、１１５はモータ、１１６は転写コロトロン、１１７は高圧電源、１１８はレーザダイオード、１１９はドライバ、１２０はチャージャコロトロン、１２１はドライバ、１２２は剥離コロトロン、１２３は高圧電源、１２４は搬送ベルト部、１２５はモータ、１２６はヒータランプ、１２７は定着ローラ、１２８モータ、１２９はドライバ、１３０は温度センサ、１３１はオペレータパネル、１３２は蛍光物質による印刷のＱＲコード、１３３は紫外光（ＵＶ）対応ＱＲコードリーダＡ、１３４は紫外光（ＵＶ）対応ＱＲコードリーダＢである。
【図１】
2010008731.tif 000003
【図２】
2010008731.tif 000004
【図３】
2010008731.tif 000005
【図４】
2010008731.tif 000006
【図５】
2010008731.tif 000007
【図６】
2010008731.tif 000008
【図７】
2010008731.tif 000009